(57)【要約】【課題】送信側の端末がフレームの伝送に選択した周波数チャネルおよびこのフレームを、受信側の端末で既知にする。【解決手段】第１無線システムと周波数を共用する第２無線通信システムに属する無線通信装置から受信フレームを受信する受信手段と、受信フレームの利得制御を行う利得制御手段と、利得制御済のフレームのタイミング同期を確立する同期手段と、タイミング同期が確立された同期確立フレームと、第２無線通信システムに属する無線通信装置が未使用周波数チャネルを検出して送信しているフレームであるかを識別するための、第２無線通信システムで予め定められている信号系列と、の相関値を計算する計算手段と、相関値がしきい値をこえた場合に、受信フレームが、第２無線通信システムに属する無線通信装置が未使用周波数チャネルを検出して送信しているフレームであると判定する判定手段と、を具備する。【選択図】図４
2008288878.tif 000002
【特許請求の範囲】
【請求項１】
第１無線システムと周波数を共用して無線通信を行う第２無線通信システムを使用する無線通信装置であって、
前記第２無線通信システムで使用する周波数帯域に、第１無線システムが使用していない未使用周波数チャネルを検出する検出手段と、
前記第２無線通信システムに属する無線通信装置が未使用周波数チャネルを検出して送信しているフレームであるかを識別するための、第２無線通信システムで予め定められている信号系列を含むフレームを、前記未使用周波数チャネルを使用して送信する送信手段と、を具備することを特徴とする無線通信装置。
【請求項２】
第１無線システムと周波数を共用して無線通信を行う第２無線通信システムを使用する無線通信装置であって、
前記第２無線通信システムに属する無線通信装置から受信フレームを受信する受信手段と、
前記受信フレームの利得制御を行う利得制御手段と、
前記利得制御済のフレームのタイミング同期を確立する同期手段と、
前記タイミング同期が確立された同期確立フレームと、前記第２無線通信システムに属する無線通信装置が未使用周波数チャネルを検出して送信しているフレームであるかを識別するための、第２無線通信システムで予め定められている信号系列と、の相関値を計算する計算手段と、
前記相関値がしきい値をこえた場合に、前記受信フレームが、前記第２無線通信システムに属する無線通信装置が未使用周波数チャネルを検出して送信しているフレームであると判定する判定手段と、を具備することを特徴とする無線通信装置。
【請求項３】
第１無線システムと周波数を共用して無線通信を行う第２無線通信システムを使用する無線通信装置であって、
前記第２無線通信システムで使用する周波数帯域に、第１無線システムが使用していない未使用周波数チャネルがあるかを検出する検出手段と、
未使用周波数チャネルがある場合に、該周波数チャネルを、送信フレームを送信する送信周波数チャネルとして選択する選択手段と、
前記第２無線通信システムに属する無線通信装置が未使用周波数チャネルを検出して送信しているフレームであるかを識別するための、第２無線通信システムで予め定められている信号系列を、前記送信フレームの一部に配置する配置手段と、
前記送信周波数チャネルで、前記信号系列を含んだ送信フレームを送信する送信手段と、
前記第２無線通信システムに属する無線通信装置から受信フレームを受信する受信手段と、
前記受信フレームの利得制御を行う利得制御手段と、
前記利得制御済のフレームのタイミング同期を確立する同期手段と、
前記タイミング同期が確立された同期確立フレームと、前記信号系列との相関値を計算する計算手段と、
前記相関値がしきい値をこえた場合に、前記受信フレームが、前記第２無線通信システムに属する無線通信装置が未使用周波数チャネルを検出して送信しているフレームであると判定する判定手段と、を具備することを特徴とする無線通信装置。
【請求項４】
前記選択手段は、フレームの送信を同時に行う複数の送信周波数チャネルを選択し、
前記配置手段は、第２無線通信システムで予め決められたパターンにしたがって、選択された送信周波数チャネル毎に異なる信号系列を配置することを特徴とする請求項３に記載の無線通信装置。
【請求項５】
前記配置手段は、２種類の信号系列を前記複数の周波数チャネルに交互に割当てることを特徴とする請求項４に記載の無線通信装置。
【請求項６】
前記配置手段は、前記複数の周波数チャネルに割り当てる信号系列は、互いの相関がゼロになるように設定することを特徴とする請求項４または請求項５に記載の無線通信装置。
【請求項７】
前記配置手段は、前記信号系列に含まれる信号値が一定である時間が前記第１無線システムのシンボル時間と異なるように設定することを特徴とする請求項３から請求項６のいずれか１項に記載の無線通信装置。
【請求項８】
直交周波数分割多重方式の信号を送信するＯＦＤＭ送信手段をさらに備え、
前記選択手段は、フレームの送信を行う複数のサブキャリアを選択し、
前記ＯＦＤＭ送信手段は、前記複数のサブキャリアを用いてフレームの送信を行うことを特徴とする請求項４から請求項７のいずれか１項に記載の無線通信装置。
【請求項９】
第１無線システムと周波数を共用して無線通信を行う第２無線通信システムを使用する無線通信装置であって、
前記第２無線通信システムで使用する周波数帯域に、第１無線システムが使用していない未使用周波数帯域があるかを検出する検出手段と、
未使用周波数帯域がある場合に、該未使用周波数帯域の中で送信フレームを送信するためのサブキャリアを決定する決定手段と、
前記第２無線通信システムに属する無線通信装置が未使用周波数帯域を検出して送信しているフレームであるかを識別するための、第２無線通信システムで予め定められているパイロットシンボルを、サブキャリア毎に異なるパターンで前記送信フレームの一部に配置する配置手段と、
前記パイロットシンボルを含む送信フレームを逆フーリエ変換する逆フーリエ変換手段と、
逆フーリエ変換済の送信フレームを送信する送信手段と、
前記第２無線通信システムに属する無線通信装置から受信フレームを受信する受信手段と、
前記受信フレームのタイミング同期を確立する同期手段と、
前記タイミング同期が確立された同期確立フレームをフーリエ変換するフーリエ変換手段と、
前記タイミング同期が確立された同期確立フレームと、全ての前記パイロットシンボルとの相関値をサブキャリア毎に計算する計算手段と、
複数の前記相関値のうちの最大の相関値をサブキャリア毎に選択する第１選択手段と、
最大の相関値がしきい値を超えるサブキャリアを有効サブキャリア候補に選択する第２選択手段と、
前記有効サブキャリア候補に対応するパイロットシンボルの識別子と、前記第２無線通信システムで予め定められた識別子パターンとが一致する場合には、有効サブキャリア候補を有効サブキャリアと決定する手段と、
前記有効サブキャリア候補に対応するパイロットシンボルの識別子と、前記第２無線通信システムで予め定められた識別子パターンとが一致しない場合には、有効サブキャリア候補に補正処理を行い、有効サブキャリア候補を再選択する再選択手段と、を具備することを特徴とする無線通信装置。
【請求項１０】
受信フレームに含まれるそれぞれのサブキャリア信号と第１パイロットシンボルとの第１相関値を計算する第１相関演算手段と、
受信フレームに含まれるそれぞれのサブキャリア信号と第２パイロットシンボルとの第２相関値を計算する第２相関演算手段と、
サブキャリア毎に、前記第１相関値および前記第２相関値のうちの大きい方の相関値を選択し、該相関値に対応するパイロットシンボルの識別子を記憶する記憶手段と、
サブキャリア毎に選択した前記相関値を記憶する記憶手段と、をさらに具備し、
前記第２選択手段は、複数の前記相関値としきい値を比較し、しきい値を超える相関値のサブキャリアを有効サブキャリア候補として選択することを特徴とする請求項９に記載の無線通信装置。
【請求項１１】
前記検出手段は、受信スロットのキャリア検出期間においてキャリア検出を行い、
前記第２選択手段は、該キャリア検出期間においてキャリアが検出されたサブキャリア以外のサブキャリアを有効サブキャリア候補と判定することを特徴とする請求項９または請求項１０に記載の無線通信装置。
【請求項１２】
第１無線システムと周波数を共用して無線通信を行う第２無線通信システムを使用する無線通信方法であって、
前記第２無線通信システムで使用する周波数帯域に、第１無線システムが使用していない未使用周波数チャネルを検出し、
前記第２無線通信システムに属する無線通信装置が未使用周波数チャネルを検出して送信しているフレームであるかを識別するための、第２無線通信システムで予め定められている信号系列を含むフレームを、前記未使用周波数チャネルを使用して送信することを特徴とする無線通信方法。
【請求項１３】
第１無線システムと周波数を共用して無線通信を行う第２無線通信システムを使用する無線通信方法であって、
前記第２無線通信システムに属する無線通信装置から受信フレームを受信し、
前記受信フレームの利得制御を行い、
前記利得制御済のフレームのタイミング同期を確立し、
前記タイミング同期が確立された同期確立フレームと、前記第２無線通信システムに属する無線通信装置が未使用周波数チャネルを検出して送信しているフレームであるかを識別するための、第２無線通信システムで予め定められている信号系列と、の相関値を計算し、
前記相関値がしきい値をこえた場合に、前記受信フレームが、前記第２無線通信システムに属する無線通信装置が未使用周波数チャネルを検出して送信しているフレームであると判定することを特徴とする無線通信方法。
【請求項１４】
第１無線システムと周波数を共用して無線通信を行う第２無線通信システムを使用する無線通信方法であって、
前記第２無線通信システムで使用する周波数帯域に、第１無線システムが使用していない未使用周波数チャネルがあるかを検出し、
未使用周波数チャネルがある場合に、該周波数チャネルを、送信フレームを送信する送信周波数チャネルとして選択し、
前記第２無線通信システムに属する無線通信装置が未使用周波数チャネルを検出して送信しているフレームであるかを識別するための、第２無線通信システムで予め定められている信号系列を、前記送信フレームの一部に配置し、
前記送信周波数チャネルで、前記信号系列を含んだ送信フレームを送信し、
前記第２無線通信システムに属する無線通信装置から受信フレームを受信し、
前記受信フレームの利得制御を行い、
前記利得制御済のフレームのタイミング同期を確立し、
前記タイミング同期が確立された同期確立フレームと、前記信号系列との相関値を計算し、
前記相関値がしきい値をこえた場合に、前記受信フレームが、前記第２無線通信システムに属する無線通信装置が未使用周波数チャネルを検出して送信しているフレームであると判定することを特徴とする無線通信方法。
【請求項１５】
第１無線システムと周波数を共用して無線通信を行う第２無線通信システムを使用する無線通信方法であって、
前記第２無線通信システムで使用する周波数帯域に、第１無線システムが使用していない未使用周波数帯域があるかを検出し、
未使用周波数帯域がある場合に、該未使用周波数帯域の中で送信フレームを送信するためのサブキャリアを決定し、
前記第２無線通信システムに属する無線通信装置が未使用周波数帯域を検出して送信しているフレームであるかを識別するための、第２無線通信システムで予め定められているパイロットシンボルを、サブキャリア毎に異なるパターンで前記送信フレームの一部に配置し、
前記パイロットシンボルを含む送信フレームを逆フーリエ変換し、
逆フーリエ変換済の送信フレームを送信し、
前記第２無線通信システムに属する無線通信装置から受信フレームを受信し、
前記受信フレームのタイミング同期を確立し、
前記タイミング同期が確立された同期確立フレームをフーリエ変換し、
前記タイミング同期が確立された同期確立フレームと、全ての前記パイロットシンボルとの相関値をサブキャリア毎に計算し、
複数の前記相関値のうちの最大の相関値をサブキャリア毎に選択し、
最大の相関値がしきい値を超えるサブキャリアを有効サブキャリア候補に選択し、
前記有効サブキャリア候補に対応するパイロットシンボルの識別子と、前記第２無線通信システムで予め定められた識別子パターンとが一致する場合には、有効サブキャリア候補を有効サブキャリアと決定し、
前記有効サブキャリア候補に対応するパイロットシンボルの識別子と、前記第２無線通信システムで予め定められた識別子パターンとが一致しない場合には、有効サブキャリア候補に補正処理を行い、有効サブキャリア候補を再選択することを特徴とする無線通信方法。
【発明の詳細な説明】
【技術分野】
【０００１】
本発明は、複数の無線システムが周波数帯域を共用して使用する無線通信装置および無線通信方法に関する。
【背景技術】
【０００２】
従来、複数の無線システムが周波数帯域を共用して使用する無線装置および方法が知られている。この種の従来の無線装置および方法では、優先度の低い無線装置が共用周波数帯域のキャリア検出（以下、キャリアセンスとも呼ぶ）を行い、この周波数帯域が優先度の高い無線システムにより使用されていないと判断した場合に信号を送信する（例えば、非特許文献１参照）。
【０００３】
また、従来、伝送フレームを用いて情報伝送を行なう通信システムにおいて、複数の周波数サブキャリアを用いた直交周波数分割多重変調によって生成される伝送フレーム検出用シンボルを、１伝送フレーム中で少なくとも２種類以上をそれぞれ順次伝送する技術が知られている（例えば、特許文献１参照）。
【特許文献１】特開２０００−１８８５８３号
【非特許文献１】J. Mitola III, “Cognitive Radio for Flexible Mobile Multimedia Communications,” IEEE Sixth International Workshop on Mobile Multimedia Communications (MoMuC99), pp.3-10, Nov. 1999.
【発明の開示】
【発明が解決しようとする課題】
【０００４】
上記従来の技術は、無線通信を行う周波数チャネルが送信側の端末と受信側の端末で予め既知である場合に、受信側の端末において伝送フレームの検出を行うための技術であり、受信側の端末において送信側の端末が伝送フレームの送信を行うために選択した周波数チャネルおよびこのフレームそのものを検出することができないという問題がある。
【０００５】
本発明は、上記の問題点に鑑みてなされたものであり、送信側の端末がフレームの伝送に選択した周波数チャネルおよびこのフレームを、受信側の端末が予め未知である場合にも、受信側の端末がフレームの伝送に用いられる周波数チャネルおよびこのフレームを検出し復調することにより無線通信を行うことができる無線通信装置および方法を提供することを目的とする。
【課題を解決するための手段】
【０００６】
上述の課題を解決するため、本発明の無線通信装置は、第１無線システムと周波数を共用して無線通信を行う第２無線通信システムを使用する無線通信装置であって、前記第２無線通信システムで使用する周波数帯域に、第１無線システムが使用していない未使用周波数チャネルを検出する検出手段と、前記第２無線通信システムに属する無線通信装置が未使用周波数チャネルを検出して送信しているフレームであるかを識別するための、第２無線通信システムで予め定められている信号系列を含むフレームを、前記未使用周波数チャネルを使用して送信する送信手段と、を具備することを特徴とする。
【０００７】
また、本発明の無線通信装置は、第１無線システムと周波数を共用して無線通信を行う第２無線通信システムを使用する無線通信装置であって、前記第２無線通信システムに属する無線通信装置から受信フレームを受信する受信手段と、前記受信フレームの利得制御を行う利得制御手段と、前記利得制御済のフレームのタイミング同期を確立する同期手段と、前記タイミング同期が確立された同期確立フレームと、前記第２無線通信システムに属する無線通信装置が未使用周波数チャネルを検出して送信しているフレームであるかを識別するための、第２無線通信システムで予め定められている信号系列と、の相関値を計算する計算手段と、前記相関値がしきい値をこえた場合に、前記受信フレームが、前記第２無線通信システムに属する無線通信装置が未使用周波数チャネルを検出して送信しているフレームであると判定する判定手段と、を具備することを特徴とする。
【０００８】
さらに、本発明の無線通信装置は、第１無線システムと周波数を共用して無線通信を行う第２無線通信システムを使用する無線通信装置であって、前記第２無線通信システムで使用する周波数帯域に、第１無線システムが使用していない未使用周波数チャネルがあるかを検出する検出手段と、未使用周波数チャネルがある場合に、該周波数チャネルを、送信フレームを送信する送信周波数チャネルとして選択する選択手段と、前記第２無線通信システムに属する無線通信装置が未使用周波数チャネルを検出して送信しているフレームであるかを識別するための、第２無線通信システムで予め定められている信号系列を、前記送信フレームの一部に配置する配置手段と、前記送信周波数チャネルで、前記信号系列を含んだ送信フレームを送信する送信手段と、前記第２無線通信システムに属する無線通信装置から受信フレームを受信する受信手段と、前記受信フレームの利得制御を行う利得制御手段と、前記利得制御済のフレームのタイミング同期を確立する同期手段と、前記タイミング同期が確立された同期確立フレームと、前記信号系列との相関値を計算する計算手段と、前記相関値がしきい値をこえた場合に、前記受信フレームが、前記第２無線通信システムに属する無線通信装置が未使用周波数チャネルを検出して送信しているフレームであると判定する判定手段と、を具備することを特徴とする。
【発明の効果】
【０００９】
本発明の無線通信装置および方法によれば、送信側の端末がフレームの伝送に選択した周波数チャネルおよびこのフレームを、受信側の端末が予め未知である場合にも、受信側の端末がフレームの伝送に用いられる周波数チャネルおよびこのフレームを検出し復調することにより無線通信を行うことができる。
【発明を実施するための最良の形態】
【００１０】
以下、図面を参照しながら本発明の実施形態に係る無線通信装置および方法について詳細に説明する。なお、以下の実施形態中では、同一の番号を付した部分については同様の動作を行うものとして、重ねての説明を省略する。  
以下の実施形態の無線通信装置が他の無線通信システムの無線通信装置が周辺に存在する様子について図１を参照して説明する。  
図１は、無線通信装置Ａ １０５が無線通信を行う無線通信システムＡ １０１と、無線通信システムＡとは別の無線システムＢ １０２および無線システムＣ １０４を示している。無線通信システムＡ １０１とは別の無線システムＢ １０２は、無線通信システムＡと地理的に重なった位置に存在することもあれば、無線システムＢ’ １０３として示すように、地理的に離れた場所に存在することもある。無線システムＢおよび無線システムＣは、例えば、Ｗ−ＣＤＭＡ（Wideband-Code Division Multiple Access）方式、ＰＤＣ（Personal Digital Cellular）方式、ＧＳＭ（Global Standard for Mobile Communication）方式などのセルラーシステム、ＩＥＥＥ８０２．１６ｅなどのＭＡＮ（Metropolitan Area Network）、ＩＥＥＥ８０２．１１などのＬＡＮ（Local Area Network）、あるいは、船舶無線やレーダー、固定マイクロ波システムなどが挙げられる。
【００１１】
無線通信システムＡ １０１は、現在は規格として定められてはいないが、今後規格として制定されるようなシステムである。無線通信システムＡに属する無線通信装置Ａ １０５は、無線システムＢ １０２と周波数帯域を共用して無線通信を行うが、無線通信システムＡ １０１は無線システムＢ １０２よりも低い優先度で周波数の利用が許可されている。したがって、無線通信システムＡ １０１に属する無線通信装置Ａ １０５は、無線システムＢ １０２に属する無線装置１０６が行う無線通信に妨害を与えてはならない。
【００１２】
次に、無線システムＢ １０２に割り当てられた周波数チャネルと、無線システムＣ １０４に割り当てられた周波数チャネルの周波数帯域分布について図２を参照して説明する。  
図２は、無線システムＢ １０２に割り当てられた周波数帯域 ２１０内の複数の周波数チャネルＢ１ ２１２、Ｂ２ ２１３、Ｂ３ ２１４、Ｂ４ ２１５、Ｂ５ ２１６・・・、Ｂｉ ２１７、無線システムＣ １０４に割り当てられた周波数帯域２１１内の複数の周波数チャネルＣ１ ２１８、Ｃ２ ２１９、Ｃ３ ２２０、・・・Ｃ（ｊ−１） ２２１、Ｃｊ ２２２を示している。図１に示す無線通信システムＡ １０１に属する無線通信装置Ａ １０５は、例えば、図２に示す無線システムＢ １０２に割当てられた周波数チャネルＢ２ ２１３、Ｂ３ ２１４、Ｂ４ ２１５、Ｂ５ ２１６を同時に共用して使用している。無線通信システムＡ １０１は無線システムＢ １０２よりも低い優先度で周波数の利用が許可されているため、無線通信システムＡ １０１に属する無線通信装置Ａ １０５は、無線システムＢ １０２に属する無線装置１０６が例えば周波数チャネルＢ３ ２１４を使用している場合には、周波数チャネルＢ３ ２１４に相当する周波数で信号の送信を行わないことにより、無線装置１０６が周波数チャネルＢ３ ２１４で行う無線通信に妨害を与えないようにする。このように、無線通信システムＡ １０１に属する無線通信装置Ａ １０５は、周波数を共用する無線システムの周波数チャネルを同時に共用して使用しているが、優先度の高い無線システムが周波数チャネルの使用を開始した場合には、この周波数チャネルでは信号の送信を行わず、使用されていないと判断した周波数チャネルのみにおいて信号の送信を行うことにより、無線通信システムＡ １０１の通信を継続する。
【００１３】
上記では、図１および図２を参照して、無線通信システムＡ １０１が周波数帯を共用する無線システムとして無線システムＢ １０２および無線システムＣ １０４の例について示したが、無線通信システムＡ １０１が周波数帯を共用する無線システムの数に特に制限はなく、例えば、無線システムＢ １０２や無線システムＣ １０４とは異なる無線システムＤ、無線システムＥ、などと周波数帯の共用を行ってもよい。この場合も、無線通信システムＡ １０１は、無線システムＤ、無線システムＥ、などよりも低い優先度で周波数帯の利用が許可されている。また、図１に示す無線通信装置Ａ １０５は、無線基地局Ａと無線端末局Ａに区別されていてもよい。
【００１４】
以降は、図１に示す無線通信システムＡ １０１が図１に示す無線システムＢ １０２と周波数を共用して無線通信を行う例について説明する。
【００１５】
（第１の実施形態）  
第１の実施形態では、１つの周波数チャネルを選択して、選択された周波数チャネルで制御信号を送信する。
【００１６】
本実施形態のフレームフォーマットの一例について図３を参照して説明する。図３は本実施形態である無線通信システムＡにおいて送信されるフレームフォーマットの一例を示す。  
図３のフレーム３３１は、ＡＧＣ（Automatic Gain Control：自動利得制御）用のパイロット信号フィールド３３２、時間同期用パイロット信号フィールド３３３、有効周波数チャネル推定用パイロット信号フィールド３３４、および、データフィールド３３５から構成されている。ＡＧＣ用のパイロット信号フィールド３３２は複数のＡＧＣ用パイロット信号３３６から構成され、時間同期用パイロット信号フィールド３３３は複数の時間同期用パイロット信号３３７から構成され、有効周波数チャネル推定用パイロット信号フィールド３３４は複数の有効周波数チャネル推定用パイロット信号３３８から構成されている。有効周波数チャネル推定用パイロット信号３３８は、この信号を含んでいるフレームが送信側無線通信装置により選択された周波数チャネルにおいて送信されたフレームであることを識別するための、システムで予め決められた信号である。
【００１７】
本実施形態の無線通信装置は、有効周波数チャネル推定用パイロット信号３３８によって、無線通信システムＡの送信側無線通信装置が送信した信号であるか否かを判定する。
【００１８】
次に、本実施形態の無線通信装置Ａ １０５について図４を参照して説明する。図４は本発明の一実施形態である無線通信装置Ａ １０５の概略構成の一例を示すブロック図である。  
本実施形態の無線通信装置Ａ １０５は、送信部４４１、制御部４４２、および、受信部４４３を含む。送信部４４１は、有効周波数チャネル検出用パイロット信号配置部４４４、および、フレーム送信部４４５を含む。制御部４４２は、キャリア検出部４４６、および、周波数チャネル選択部４４７を含む。受信部４４３は、フレーム検出部４４８、自動利得制御部４４９、タイミング同期部４５０、有効周波数チャネル決定部４５１、および、フレーム受信部４５２を含む。
【００１９】
キャリア検出部４４６は、未使用の周波数チャネルがあるかを判定するために、予め決められた帯域幅のキャリアセンスを行う。この帯域幅は、対応するシステムで使用するもので、システムで予め定められている。すなわち、無線通信装置の送信側と受信側で共通の帯域幅の情報を所有している。
【００２０】
周波数チャネル選択部４４７は、キャリア検出部４４６のキャリアセンスの結果を受けて、未使用の周波数チャネルを選択する。
【００２１】
有効周波数チャネル検出用パイロット信号配置部４４４は、送信フレームに含まれる有効周波数チャネル推定用パイロット信号フィールド３３４に有効周波数チャネル推定用パイロット信号を配置する。
【００２２】
フレーム送信部４４５は、上記の図３のフレームの変調処理を行い、アンテナから送信フレームを送る。  
フレーム検出部４４８は、予め決められた帯域幅内のそれぞれの周波数チャネルにおいてフレーム検出処理を行い、フレームを検出したかどうかを判定する。  
自動利得制御部４４９は、フレームを検出した場合に、受信信号の自動利得制御を行う。すなわち、受信信号を適正な振幅値に調整する。  
タイミング同期部４５０は、利得制御された信号のタイミングを同期し、受信フレームにタイミングを合わせる。  
有効周波数チャネル決定部４５１は、受信側無線通信装置は、受信フレームに含まれるパイロット信号を受信することによって、予めもっているパイロット信号との間で相関をとることにより、有効周波数チャネルを決定する。  
フレーム受信部４５２は、フレームの復調処理を行い、フレームに含まれるデータを取得する。
【００２３】
次に、図４の無線通信装置Ａが信号を送信する処理の一例について図５を参照して説明する。  
キャリア検出部４４６は、予め決められた帯域幅のキャリアセンスを行い、キャリアセンスの結果を周波数チャネル選択部４４７に出力する（ステップＳ５０１）。周波数チャネル選択部４４７は、キャリア検出部４４６から取得したキャリアセンスの結果を基に、未使用の周波数チャネルがあるか否かを判定する（ステップＳ５０２）。未使用の周波数チャネルがある場合には、フレームを送信する周波数チャネルを選択し、選択した周波数チャネルを送信部４４１へ出力する（ステップＳ５０３）。未使用の周波数チャネルがない場合にはステップＳ５０１の処理を繰り返す。送信部４４１内の有効周波数チャネル検出用パイロット信号配置部４４４は、図３に示すフレームの有効周波数チャネル推定用パイロット信号フィールド３３４に、有効周波数チャネル推定用パイロット信号を配置する（ステップＳ５０４）。なお、受信側無線通信装置は、予めこの有効周波数チャネル推定用パイロット信号を有している。送信部４４１のフレーム送信部４４５は、図３に示すフレームの変調処理を行い、フレームを送信する（ステップＳ５０５）。
【００２４】
次に、図４の無線通信装置Ａが信号を受信する処理の一例について図６を参照して説明する。  
フレーム検出部４４８は、予め決められた帯域幅内のそれぞれの周波数チャネルにおいてフレーム検出処理を行い（ステップＳ６０１）、フレームを検出したか否かを判定する（ステップＳ６０２）。フレームを検出した場合には、自動利得制御部４４９が入力される信号の自動利得制御を行い（ステップＳ６０３）、自動利得制御により適正な振幅値に調整された信号はタイミング同期部４５０においてタイミング同期が行われる（ステップＳ６０４）。一方、ステップＳ６０２においてフレームが検出されない場合は、フレーム検出処理（ステップＳ６０１）以降の処理を繰り返す。タイミング同期処理は、例えば、予め既知の信号系列と受信信号との相関演算を行い、相関値のピークを検出することにより受信フレームにタイミングを合わせる処理である。タイミング同期が確立された信号は、有効周波数チャネル決定部４５１において、予め決められた有効周波数チャネル推定用パイロット信号と相関演算が行われ（ステップＳ６０５）、相関値としきい値の比較を行う（ステップＳ６０６）。相関値がしきい値を超えた場合には、この周波数チャネルで送信されたフレームが有効周波数チャネルで送信されたフレームであると判定し（ステップＳ６０７）、フレームの受信処理を行う（ステップＳ６０８）。相関値がしきい値を超えない場合には、この周波数チャネルは有効周波数チャネルではないと判定し（ステップＳ６０７）、フレームの受信処理は行わずに終了する。
【００２５】
次に、無線通信装置Ａが無線通信システムＡにおいて送信されるフレームを受信した場合の有効周波数チャネル推定用パイロット信号と受信信号との相関値出力の一例について図７を参照して説明する。  
図７の信号（フレーム）３３１は、無線通信システムＡにおいて送信される信号（フレーム）を示しており、図３に示したように、ＡＧＣ用のパイロット信号フィールド３３２、時間同期用パイロット信号フィールド３３３、有効周波数チャネル推定用パイロット信号フィールド３３４、および、データフィールド３３５を含んでいる。図７に示す例では、有効周波数チャネル推定用パイロット信号として信号系列Ａを用いているものとする。
【００２６】
図７の下部には有効周波数チャネル推定用パイロット信号と受信信号との相関値出力７０１の一例を示しており、値７００は有効周波数チャネルで送信されたフレームであるか否かを判定するためのしきい値を示している。無線通信装置Ａ １０５は、時間同期用パイロット信号フィールド３３３を用いることにより、受信信号の時間的位置を知ることができる。図７に示す例では、信号系列Ａを受信した直後の時刻ｔ１において相関値７０１がしきい値７００を超えているため、無線通信装置Ａ １０５はこの信号が無線通信システムＡの信号であると判断し、データの復調を行う。
【００２７】
次に、無線通信装置Ａが無線通信システムＢにおいて送信されるフレームを受信した場合の有効周波数チャネル推定用パイロット信号と受信信号の相関値出力の一例について図８を参照して説明する。  
図８の信号８０１は、無線通信システムＢにおいて送信される信号を示している。図８の下部には有効周波数チャネル推定用パイロット信号と受信信号の相関値出力８０２の一例を示しており、値７００は有効周波数チャネルで送信されたフレームであるか否かを判定するためのしきい値を示している。無線通信装置Ａ １０５は、時間同期用パイロット信号フィールド３３３を用いることにより、受信信号の時間的位置を知ることができる。図８に示す例では、時刻ｔ０に信号の受信を開始してから有効周波数チャネル推定用パイロット信号フィールドの受信終了時刻（時刻ｔ１）を経過しても、相関値６０３がしきい値７００を超えていない。したがって、無線通信装置Ａ １０５はこの信号が無線通信システムＡの信号ではないと判断し、データの復調処理は行わない。
【００２８】
次に、図３に示されたフレームフォーマットの有効周波数チャネル推定用パイロット信号フィールド３３４の内容の一例について図９を参照して説明する。図９は本発明の一実施形態である無線通信システムＡにおいて送信されるフレームフォーマットの一例を示す。  
図９に示す有効周波数チャネル推定用パイロット信号フィールド３３４は、値が“１”であるシンボル９０１と値が“−１”であるシンボル９０２が交互に繰り返されている。このように、有効周波数チャネル推定用パイロット信号フィールドとして、シンボル毎に極性の異なる値を用いることによって、有効周波数チャネル推定の精度を高くすることができる。
【００２９】
以上の第１の実施形態によれば、無線通信システムＡ １０１で送信されるフレームの一部に、このフレームが無線通信システムＡの送信無線通信装置がキャリアセンスの結果に基づいて選択した周波数チャネルにおいて送信されたフレームであることを識別するための予め決められたパイロット信号系列を配置するフィールドを備えることにより、無線通信システムＡに属する受信側の無線通信装置が、フレームが送信される周波数チャネルが未知である場合であっても、このパイロット信号を検出することによりフレームが送信された周波数チャネルおよびこのフレームを検出することができ、無線通信を行うことができる。
【００３０】
また、無線通信装置Ａの送信側に、有効周波数チャネル推定用パイロット信号を配置する有効周波数チャネル検出用パイロット信号配置部４４４を備え、無線通信装置Ａの受信側に、有効周波数チャネル決定部４５１を備えることにより、無線通信装置Ａの受信側の無線通信装置が、フレームが送信される周波数チャネルが未知である場合であっても、このパイロット信号を検出することによりフレームが送信された周波数チャネルおよびこのフレームを検出することができ、無線通信を行うことができる。
【００３１】
（第２の実施形態）  
第２の実施形態以降では、複数の周波数チャネルを選択して、選択された複数の周波数チャネルで制御信号を送信する。
【００３２】
本実施形態の無線通信装置について図１０を参照して説明する。本実施形態の無線通信装置は、第１の実施形態の無線通信装置と比較して、複数の無線送信部１０９３および複数の無線受信部１０９４を新たに設け、複数のフレーム検出部４４８、複数の自動利得制御部４４９、複数のタイミング同期部４５０を含んでいることが異なる。それに伴い、有効周波数チャネル決定部１０５１が複数のフレームを受け取ることにより制御内容が異なる。さらに、本実施形態では、複数のアンテナ１０９１を設け、アンテナ切替部１０９２を新たに設けている。
【００３３】
アンテナ切替部１０９２は、フレームを送信または受信する際に、アンテナ１０９１と無線送信部または無線受信部との接続を切り替える。すなわち、フレームを送信する際には、アンテナ１０９１と無線送信部１０９３とを接続し、フレームを受信する際には、アンテナ１０９１と無線受信部１０９４とを接続する。  
無線送信部１０９３は、フレーム送信部４４５で生成された信号を無線周波数（ＲＦ）信号に変換しアンテナ切替部１０９２を介してアンテナ１０９１へ出力する。  
無線受信部１０９４は、アンテナ１０９１からの受信信号を中間周波数もしくはベースバンド信号に周波数変換してフレーム検出部４４８へ出力する。
【００３４】
有効周波数チャネル決定部１０５１については後に図２０を参照して説明する。
【００３５】
次に、図１０の無線通信装置Ａが信号を送信する処理の一例について図１１を参照して説明する。  
ステップＳ５０２で未使用の周波数チャネルがあると判定された場合には、未使用周波数チャネルが複数あるか否かを判定し（ステップＳ１１０１）、未使用周波数チャネルが複数ない場合には、図５に示したステップＳ５０３以降の処理を行う。複数の未使用周波数チャネルがある場合（ステップＳ１１０１）には、周波数チャネル選択部４４７がフレームを送信する複数の周波数チャネルの選択を行い、選択した周波数チャネルを送信部４４１へ出力する（ステップＳ１１０２）。送信部４４１内の有効周波数チャネル検出用パイロット信号配置部４４４は、図３に示すフレームの有効周波数チャネル推定用パイロット信号フィールド３３４に、選択した複数の周波数チャネル毎に予め決められたパターンにしたがって異なる有効周波数チャネル推定用パイロット信号を配置する（ステップＳ１１０３）。送信部４４１のフレーム送信部４４５は、図３に示すフレームの変調処理を行い、複数の周波数チャネルに分割して無線送信部１０９３に出力してフレームを送信する（ステップＳ５０５）。
【００３６】
次に、図１０のキャリア検出部４４６がキャリアセンスを行った結果の一例について図１２を参照して説明する。図１２は、無線通信システムＡ １０１が周波数を共用する無線システムＢ １０２の周波数チャネルを示す。  
図１２の周波数帯域１２１１は無線システムＢ １０２に割当てられた周波数帯域幅を示しており、周波数チャネルＢ１（Ｃｈ．Ｂ１ １２１２）から周波数チャネルＢ１０（Ｃｈ．Ｂ１０ １２２１）までは、無線システムＢ １０２のそれぞれの周波数チャネルを示している。図１２において、斜線で示している周波数チャネルＢ３ １２１４と周波数チャネルＢ７ １２１８は、無線通信装置Ａ １０５のキャリア検出部４４６によるキャリアセンスの結果、無線システムＢ １０２に属する無線装置が使用中であると判断された周波数チャネルを示している。ここでは、無線通信装置Ａ １０５が、無線システムＢ １０２の無線装置により使用されていない周波数チャネルＢ１（Ｃｈ．Ｂ１ １２１２）、周波数チャネルＢ２（Ｃｈ．Ｂ２ １２１３）、周波数チャネルＢ４（Ｃｈ．Ｂ４ １２１５）、周波数チャネルＢ５（Ｃｈ．Ｂ５ １２１６）、周波数チャネルＢ６（Ｃｈ．Ｂ６ １２１７）、周波数チャネルＢ８（Ｃｈ．Ｂ８ １２１９）、周波数チャネルＢ９（Ｃｈ．Ｂ９ １２２０）、および、周波数チャネルＢ１０（Ｃｈ．Ｂ１０ １２２１）の８つの周波数チャネルを使用してフレームの送信を行うものとする。
【００３７】
次に、無線通信装置Ａ １０５が複数の周波数チャネルを用いてフレームの送信を行う場合の、無線通信システムＡにおいて送信されるフレームフォーマットの一例について図１３を参照して説明する。  
図１３は、図３に示すフレームフォーマットが８つの周波数チャネルそれぞれにおいて使用される例を示している。図１３に示すように、有効周波数チャネル推定用パイロット信号フィールドに、予め決められたパターンにしたがって、周波数チャネルＢ１では信号系列Ａ １３３３を、周波数チャネルＢ２では信号系列Ｂ １３３４を、周波数チャネルＢ４では信号系列Ｃ １３３５を、周波数チャネルＢ５では信号系列Ｄ １３３６を、周波数チャネルＢ６では信号系列Ｅ １３３７を、周波数チャネルＢ８では信号系列Ｆ １３３８を、周波数チャネルＢ９では信号系列Ｇ １３３９を、および、周波数チャネルＢ１０では信号系列Ｈ １３４０を割当てている。
【００３８】
ここで、周波数チャネルＢ３と周波数チャネルＢ７は、無線通信システムＡよりも優先度の高い無線システムに使用されている。これら周波数チャネルが使用されていることは、無線通信装置Ａのキャリア検出部４４６のキャリアセンスにより無線通信装置Ａは既に知っている。
【００３９】
次に、無線通信装置Ａ １０５が複数の周波数チャネルを用いてフレームの送信を行う場合の、無線通信システムＡにおいて送信されるフレームフォーマットの図１３とは異なる一例について図１４を参照して説明する。  
無線システムＢ １０２に属する無線装置が使用中の周波数チャネルに加えてこの周波数チャネルに隣接する周波数チャネルをガードバンドとする場合の無線通信装置Ａ １０５が使用するフレームフォーマットを示している。図１４に示す例では、無線通信装置Ａ １０５は、周波数チャネルＢ１（Ｃｈ．Ｂ１ １２１２）、周波数チャネルＢ５（Ｃｈ．Ｂ５ １２１６）、周波数チャネルＢ９（Ｃｈ．Ｂ９ １２２０）、および、周波数チャネルＢ１０（Ｃｈ．Ｂ１０ １２２１）の４つの周波数チャネルを使用してフレームの送信を行う。
【００４０】
したがって、無線通信装置Ａ １０５が送信するフレームの有効周波数チャネル推定用パイロット信号フィールドに、予め決められたパターンにしたがって、周波数チャネルＢ１では信号系列Ａ １３３３）を、周波数チャネルＢ５では信号系列Ｂ １３３６）を、周波数チャネルＢ９では信号系列Ｃ １３３９を、および，周波数チャネルＢ１０では信号系列Ｄ １３４０を割当てている。
【００４１】
以上の第２の実施形態によれば、第１の実施形態での効果に加え、複数の周波数チャネルにおいて送信されるフレームの有効周波数チャネル推定用パイロット信号フィールドに、予めシステム毎に決められたパターンにしたがって周波数チャネル毎に異なる信号系列を割当てることにより、受信側の無線通信装置が検出した有効周波数チャネルについて周波数方向の規則性を参照することにより検査し、誤りがある場合にはこれを補正することにより、有効周波数チャネル推定の精度を高くすることができる。
【００４２】
（第３の実施形態）  
本実施形態では、第２の実施形態で使用している信号系列の個数を、複数の信号系列から選択する場合である。すなわち、有効周波数チャネル推定用パイロット信号として用いる信号系列を、限られた個数の信号系列から選択する。
【００４３】
本実施形態での無線通信装置Ａ １０５が複数の周波数チャネルを用いてフレームの送信を行う場合の、無線通信システムＡにおいて送信されるフレームフォーマットの一例について図１５を参照して説明する。図１５は、図１３に示したフレームフォーマットの有効周波数チャネル推定用パイロット信号フィールドの内容を変形したものである。  
本実施形態では、２つの信号系列として信号系列Ａと信号系列Ｂを用意し、周波数の低い有効周波数チャネルから順に信号系列Ａと信号系列Ｂを繰り返し割当てる。したがって、図１５に示すように、周波数チャネルＢ１では信号系列Ａ １３３３を、周波数チャネルＢ２では信号系列Ｂ １３３４を、周波数チャネルＢ４では信号系列Ａ １３３３を、周波数チャネルＢ５では信号系列Ｂ １３３４を、周波数チャネルＢ６では信号系列Ａ １３３３を、周波数チャネルＢ８では信号系列Ｂ １３３４を、周波数チャネルＢ９では信号系列Ａ １３３３を、および周波数チャネルＢ１０では信号系列Ｂ １３３４を割当てている。
【００４４】
次に、無線システムＢ １０２の周波数チャネル帯域幅と無線通信システムＡ １０１で行われる無線通信の周波数チャネル、あるいは、ＯＦＤＭ通信を行う場合の１つのサブキャリアの帯域幅の関係の第１の例について図１６を参照して説明する。  
図１６において、図１２と同様に、周波数帯域１２１１は無線システムＢ １０２に割当てられた周波数帯域幅を示しており、周波数チャネルＢ１（Ｃｈ．Ｂ１ １２１２）から周波数チャネルＢ１０（Ｃｈ．Ｂ１０ １２２１）までは、無線システムＢ １０２のそれぞれの周波数チャネルを示している。また、周波数チャネルＡ１（Ｃｈ．Ａ１ １６５１）から周波数チャネルＡ１０（Ｃｈ．Ａ１０ １６６０）までは無線通信システムＡ １０１で行われる無線通信において用いられる周波数チャネルを示している。図１６では、無線通信システムＡ １０１の１つの周波数チャネルの帯域幅が、無線システムＢ １０２の１つの周波数チャネルの帯域幅に等しい場合の例を示している。
【００４５】
図１６に示すように、無線通信システムＡ １０１で用いる１つの周波数チャネルの帯域幅を、無線システムＢ １０２の１つの周波数チャネルの帯域幅と等しくなるように選択して、無線通信システムＡにおける無線通信を行ってもよい。
【００４６】
次に、無線システムＢ １０２の周波数チャネル帯域幅と無線通信システムＡ １０１で行われる無線通信の周波数チャネル、あるいは、ＯＦＤＭ通信を行う場合の１つのサブキャリアの帯域幅の関係の第２の例について図１７を参照して説明する。  
図１７において、図１６と同様に、周波数帯域１２１１は無線システムＢ １０２に割当てられた周波数帯域幅を示しており、周波数チャネルＢ１（Ｃｈ．Ｂ１ １２１２）から周波数チャネルＢ１０（Ｃｈ．Ｂ１０ １２２１）までは、無線システムＢ １０２のそれぞれの周波数チャネルを示している。また、周波数チャネルＡ１（Ｃｈ．Ａ１ １７７１）から周波数チャネルＡ５（Ｃｈ．Ａ５ １７７５）までは無線通信システムＡ １０１で行われる無線通信において用いられる周波数チャネルを示している。図１７では、無線通信システムＡ １０１の１つの周波数チャネルの帯域幅が、無線システムＢ １０２の１つの周波数チャネルの帯域幅の２倍に等しい場合の例を示している。
【００４７】
図１７に示すように、無線通信システムＡ １０１で用いる１つの周波数チャネルの帯域幅を、無線システムＢ １０２の１つの周波数チャネルの帯域幅の倍数となるように選択して、無線通信システムＡにおける無線通信を行ってもよい。
【００４８】
次に、無線システムＢ １０２の周波数チャネル帯域幅と無線通信システムＡ １０１で行われる無線通信の周波数チャネル、あるいは、ＯＦＤＭ通信を行う場合の１つのサブキャリアの帯域幅の関係の第３の例について図１８を参照して説明する。  
図１８において、図１６と同様に、周波数帯域１２１１は無線システムＢ １０２に割当てられた周波数帯域幅を示しており、周波数チャネルＢ１（Ｃｈ．Ｂ１ １２１２）から周波数チャネルＢ１０（Ｃｈ．Ｂ１０ １２２１）までは、無線システムＢ １０２のそれぞれの周波数チャネルを示している。また、周波数チャネルＡ１（Ｃｈ．Ａ１ １８８１）から周波数チャネルＡ３０（Ｃｈ．Ａ３０ １８１０）までは無線通信システムＡ １０１で行われる無線通信において用いられる周波数チャネルを示している。図１８では、無線通信システムＡ １０１の１つの周波数チャネルの帯域幅が、無線システムＢ １０２の１つの周波数チャネルの帯域幅の３分の１に等しい場合の例を示している。
【００４９】
図１８に示すように、無線通信システムＡ １０１で用いる１つの周波数チャネルの帯域幅を、無線システムＢ １０２の１つの周波数チャネルの帯域幅の分数となるように選択して、無線通信システムＡにおける無線通信を行ってもよい。
【００５０】
次に、無線システムＢ １０２の周波数チャネル帯域幅と無線通信システムＡ １０１で行われる無線通信の周波数チャネル、あるいは、ＯＦＤＭ通信を行う場合の１つのサブキャリアの帯域幅の関係の第４の例について図１９を参照して説明する。図１９は、図１８を変形した図である。  
図１９において、図１６と同様に、周波数帯域１２１１は無線システムＢ １０２に割当てられた周波数帯域幅を示しており、周波数チャネルＢ１（Ｃｈ．Ｂ１ １２１２）から周波数チャネルＢ１０（Ｃｈ．Ｂ１０ １２２１）までは、無線システムＢ １０２のそれぞれの周波数チャネルを示している。また、周波数チャネルＡ１（Ｃｈ．Ａ１ １９２３）から周波数チャネルＡ２０（Ｃｈ．Ａ２０ １９４２）は無線通信システムＡ １０１で行われる無線通信において用いられる周波数チャネルを示している。
【００５１】
図１９において、斜線で示した周波数チャネルＢ３ １９２１と周波数チャネルＢ７ １９２２は、無線通信装置Ａ １０５によるキャリアセンスの結果、無線システムＢ １０２に属する無線装置が使用中であると判断された周波数チャネルを示している。図１９では、無線通信システムＡ １０１の１つの周波数チャネルの帯域幅が、無線システムＢ １０２の１つの周波数チャネルの帯域幅の３分の１に等しい場合の例を示しており、無線通信装置Ａ １０５によるキャリアセンスの結果、無線システムＢ １０２が使用していると判断された周波数チャネルＢ３ １９２１に隣接する周波数帯域１９０２、１８８４と、同じく無線システムＢ １０２が使用していると判断された周波数チャネルＢ７ １９２２に隣接する周波数帯域１９０６、１８８８を、無線通信システムＡ １０１の周波数チャネルとして使用しない例を示している。
【００５２】
図１９に示すように、キャリアセンスの結果、無線システムＢ １０２で使用されていると判断された周波数チャネルに隣接する周波数帯域を除いて、無線通信システムＡ １０１の周波数チャネルを選択して、無線通信システムＡにおける無線通信を行ってもよい。
【００５３】
次に、本実施形態の無線通信装置Ａの有効周波数チャネル決定部１０５１の詳細について２０図を参照して説明する。図２０は、図１０に示す無線通信装置Ａ １０５の有効周波数チャネル決定部１０５１の内部構成の一例を示すブロック図である。  
有効周波数チャネル決定部１０５１は、相関演算部２０６１、相関値選択部２０６２、相関値記憶部２０６３、しきい値比較部２０６４、有効周波数チャネル検査部２０６５、および、有効周波数チャネル補正部２０６６を含む。  
相関演算部２０６１は、受信信号を、システムで予め定められた複数のパイロット信号との相関演算を行い、複数の相関値を算出する。例えば、相関演算部２０６１は、受信信号とパイロット信号Ａとの相関演算を行い、さらに、受信信号とパイロット信号Ｂとの相関演算を行う。  
相関値選択部２０６２は、相関演算部２０６１で算出された複数の相関値を比較し、相関値の大きな相関値を選択する。  
相関値記憶部２０６３は、相関値選択部２０６２で選択された相関値を記憶する。相関値記憶部２０６３は、システムで決められた所定の周波数帯域内の全ての周波数チャネルに対して選択された相関値を記憶する。そして、相関値記憶部２０６３は、それぞれの周波数チャネルにおける相関値の並べ替えを行う。  
しきい値比較部２０６４は、予め決められたしきい値とそれぞれの周波数チャネル毎の相関値を比較し、しきい値を超える相関値を持つ周波数チャネルを有効周波数チャネル候補として選択する。  
有効周波数チャネル検査部２０６５は、有効周波数チャネル候補となった周波数チャネルを、周波数の低い順に並べ替え、それぞれの周波数チャネルで選択されたパイロット信号の識別子から構成されるパターンと予め決められた識別子のパターンとを比較する。有効周波数チャネル検査部２０６５は、有効周波数チャネル候補のパイロット信号の識別子のパターンと予め決められた識別子のパターンとが一致する場合には、有効周波数チャネル候補を有効周波数チャネルとして決定する。
【００５４】
有効周波数チャネル補正部２０６６は、有効周波数チャネル候補のパイロット信号の識別子のパターンと予め決められた識別子のパターンが一致しない場合には、有効周波数チャネル候補の補正処理を行う。有効周波数チャネル補正部２０６６の動作の詳細は後に図２２を参照して説明する。
【００５５】
次に、図２０に示す有効周波数チャネル決定部１０５１が、有効周波数チャネルを決定する処理の一例について図２１を参照して説明する。  
相関演算部２０６１は、受信した信号とパイロット信号Ａとの相関演算を行い（ステップＳ２１７１）、続いて、受信した信号とパイロット信号Ｂとの相関演算を行う（ステップＳ２１７２）。受信信号とパイロット信号Ａとの相関値をＣＡ、受信信号とパイロット信号Ｂとの相関値をＣＢとし、相関値選択部２０６２においてＣＡとＣＢの比較を行う（ステップＳ２１７３）。ＣＡがＣＢよりも大きい場合は、この周波数チャネルにおける相関値としてＣＡを選択し（ステップＳ２１７４）、相関値記憶部２０６３が、選択したパイロット信号Ａの識別子（ＰＡ）を記憶する（ステップＳ２１７５）。一方、ステップＳ２１７３において、ＣＢがＣＡより大きい場合は、この周波数チャネルにおける相関値としてＣＢを選択し（ステップＳ２１７６）、相関値記憶部２０６３が、選択したパイロット信号Ｂの識別子（ＰＢ）を記憶する（ステップＳ２１７７）。ＣＡとＣＢが等しい場合には、任意のパイロット信号を選択する（ステップＳ２１７３）。ステップＳ２１７１からステップＳ２１７７までの処理を、無線通信システムＡにおいてフレームの送信を行う予め決められた周波数帯域の全ての周波数チャネルにおいて繰り返す（ステップＳ２１７８）。
【００５６】
続いて、相関値記憶部２０６３において、それぞれの周波数チャネルにおける相関値の記憶を行い（ステップＳ２１７９）、しきい値比較部２０６４において予め決められたしきい値とそれぞれの周波数チャネル毎の相関値を比較し（ステップＳ２１８０）、しきい値を超える相関値を持つ周波数チャネルを有効周波数チャネル候補として選択する（ステップＳ２１８１）。有効周波数チャネル候補となった周波数チャネルは、有効周波数チャネル検査部２０６５において周波数の低い順に並べ替えられ、それぞれの周波数チャネルで選択されたパイロット信号の識別子から構成されるパターンと予め決められた識別子のパターンとを比較する（ステップＳ２１８２、Ｓ２１８３）。有効周波数チャネル候補のパイロット信号の識別子のパターンと予め決められた識別子のパターンとが一致する場合には、有効周波数チャネル候補を有効周波数チャネルとして決定し、この周波数チャネルの信号の復調処理を行う（ステップＳ２１８４）。一方、ステップＳ２１８３において、有効周波数チャネル候補のパイロット信号の識別子のパターンと予め決められた識別子のパターンが一致しない場合には、有効周波数チャネル候補の補正処理を行い（ステップＳ２１８５）、ステップＳ２１８２以降の処理を繰り返す。
【００５７】
次に、図２０に示す有効周波数チャネル補正部２０６６が、有効周波数チャネルを補正する処理の一例について図２２を参照して説明する。ここでは、有効周波数チャネル推定用パイロット信号として用いられる信号系列が、図１５に示すように信号系列Ａと信号系列Ｂが交互に繰り返されている場合について説明する。  
有効周波数チャネル候補として選択された複数の周波数チャネルのうちで、最小の有効周波数チャネル候補ｍにおいて選択されたパイロット信号系列が信号系列Ａであるか、信号系列Ｂであるかを判定する（ステップＳ２２０１）。最小の有効周波数チャネル候補ｍにおいて選択された信号系列がＢ（識別子ＰＢ）である場合は、予め決められた周波数チャネルの中でｍより小さい周波数チャネルにおいてＰＡを選択した周波数チャネルが存在するか否かを判定する（ステップＳ２２０２）。ｍより小さい周波数チャネルの中に信号系列Ａ（識別子ＰＡ）を選択した周波数チャネルｎが存在しない場合には、周波数チャネルｍを有効周波数チャネル候補から削除する（ステップＳ２２０３）。
【００５８】
一方、ステップＳ２２０２において、ｍより小さい周波数チャネルの中に信号系列Ａ（識別子ＰＡ）を選択した周波数チャネルｎが存在する場合には、それらの周波数チャネルの中で最大の相関値を持つ周波数チャネルを有効周波数チャネル候補に加える（ステップＳ２２０４）。続いて、有効周波数チャネル候補において選択されたパイロット信号のパターンが、予め決められたパイロット信号系列のパターンである、信号系列Ａ、信号系列Ｂ、信号系列Ａ、・・・の繰り返しとなっているか否かを判定する（ステップＳ２２０５）。ステップＳ２２０５で予め決められたパターンと一致する場合は、有効周波数チャネル候補を有効周波数チャネルとして決定し（ステップＳ２２０６）、予め決められたパターンと一致しない場合はステップＳ２２０１以降の処理を繰り返す。
【００５９】
一方、ステップＳ２２０１において、最小の有効周波数チャネル候補ｍにおいて選択された信号系列がＡ（識別子ＰＡ）である場合は、有効周波数チャネル候補の中で同一のパイロット信号系列（識別子ＰＸ）が周波数チャネルｊとｋ（ｊ＜ｋ）で連続して選択されたか否かを判定する（ステップＳ２２０７）。これは、例えば、有効周波数チャネルの番号が・・・、４番、５番、・・・と選択され、４番と５番の周波数チャネルともにパイロット信号ＰＡを選択している、という状態である。ステップＳ２２０７において、有効周波数チャネル候補の中で同一のパイロット信号系列を選択した２つの周波数チャネルが隣接していない場合には、ステップＳ２２０５以降の処理を行う。
【００６０】
一方、有効周波数チャネル候補の中で同一のパイロット信号系列を選択した２つの周波数チャネルが隣接している場合には、周波数チャネル番号の差を判定する（ステップＳ２２０８）。同一のパイロット信号系列を選択した２つの周波数チャネルの番号の差が“１”の場合には、周波数チャネルｊと周波数チャネルｋのうちで相関値の低い周波数チャネルを有効周波数チャネル候補から削除し（ステップＳ２２０９）、ステップＳ２２０５以降の処理を行う。同一のパイロット信号系列を選択した２つの周波数チャネルの番号の差が“２”以上の場合には、周波数チャネルｊと周波数チャネルｋの間に、ＰＸではないパイロット信号を選択した周波数チャネルがあるか否かを判定する（ステップＳ２２１０）。周波数チャネルｊと周波数チャネルｋの間に、ＰＸではないパイロット信号を選択した周波数チャネルがない場合には、周波数チャネルｊと周波数チャネルｋのうちで相関値の低い周波数チャネルを有効周波数チャネル候補から削除し（ステップＳ２２１１）、ステップＳ２２０５以降の処理を行う。一方、周波数チャネルｊと周波数チャネルｋの間に、ＰＸではないパイロット信号を選択した周波数チャネルがある場合には、それらの中で最大の相関値を持つ周波数チャネルｉを有効周波数チャネル候補に加え（ステップＳ２２１２）、ステップＳ２２０５以降の処理を行い、有効周波数チャネル候補のパイロットパターンが予め決められたパターンと一致するまで処理を繰り返す。
【００６１】
以上の第３の実施形態によれば、第１の実施形態での効果に加え、複数の周波数チャネルにおいて送信されるフレームの有効周波数チャネル推定用パイロット信号フィールドに、予め決められた２つの信号系列を有効周波数チャネル毎に交互に割当てることにより、受信側における相関演算の処理量を少なく抑えつつも、受信側の無線通信装置が検出した有効周波数チャネルを周波数方向に検査し、誤りがある場合にはこれを補正することにより、有効周波数チャネル推定の精度を高くすることができる。また、図２２に示した処理フローを行うことにより、有効周波数チャネルの検出精度を高めることができ、効率のよい無線通信を行うことができる。
【００６２】
（第４の実施形態）  
本実施形態では、第３の実施形態での信号系列の具体例を示す。
【００６３】
本実施形態での無線通信装置Ａ １０５が複数の周波数チャネルを用いて送信を行うフレームの有効周波数チャネル推定用パイロット信号フィールドの一例について図２３を参照して説明する。ここでは、図１３と同様に、無線通信装置Ａ １０５が周波数チャネルＢ１（Ｃｈ．Ｂ１）、周波数チャネルＢ２（Ｃｈ．Ｂ２）、周波数チャネルＢ４（Ｃｈ．Ｂ４）、周波数チャネルＢ５（Ｃｈ．Ｂ５）、周波数チャネルＢ６（Ｃｈ．Ｂ６）、周波数チャネルＢ８（Ｃｈ．Ｂ８）、周波数チャネルＢ９（Ｃｈ．Ｂ９）、および、周波数チャネルＢ１０（Ｃｈ．Ｂ１０）の８つの周波数チャネルを使用してフレームの送信を行うものとする。
【００６４】
図２３に示すように、信号系列Ａ ２３１１は周波数チャネルＢ１において送信されるフレームの有効周波数チャネル推定用パイロット信号フィールドに設定される信号系列を示し、信号系列Ｂ ２３１２は周波数チャネルＢ２において送信されるフレームの有効周波数チャネル推定用パイロット信号フィールドに設定される信号系列を示し、信号系列Ｃ ２３１３は周波数チャネルＢ４において送信されるフレームの有効周波数チャネル推定用パイロット信号フィールドに設定される信号系列を示し、信号系列Ｄ ２３１４は周波数チャネルＢ５において送信されるフレームの有効周波数チャネル推定用パイロット信号フィールドに設定される信号系列を示し、信号系列Ｅ ２３１５は周波数チャネルＢ６において送信されるフレームの有効周波数チャネル推定用パイロット信号フィールドに設定される信号系列を示し、信号系列Ｆ ２３１６は周波数チャネルＢ８において送信されるフレームの有効周波数チャネル推定用パイロット信号フィールドに設定される信号系列を示し、信号系列Ｇ ２３１７は周波数チャネルＢ９において送信されるフレームの有効周波数チャネル推定用パイロット信号フィールドに設定される信号系列を示し、信号系列Ｈ ２３１８は周波数チャネルＢ１０において送信されるフレームの有効周波数チャネル推定用パイロット信号フィールドに設定される信号系列を示している。
【００６５】
例えば、信号系列Ａ ２３１１と信号系列Ｇ ２３１７との相関値は、
１×１＋１×（−１）＋１×１＋１×（−１）＋（−１）×１＋（−１）×（−１）＋（−１）×１＋（−１）×（−１）＝０       ・・・式（１）
となる。同様に、信号系列Ａ ２３１１から信号系列Ｇ ２３１８までの信号系列は、それぞれ２つの系列の相関が全て０となる。すなわち、この意味で信号系列Ａ ２３１１から信号系列Ｇ ２３１８までの信号系列は互いに直交している。
【００６６】
次に、無線通信装置Ａ １０５が複数の周波数チャネルを用いて送信を行うフレームの有効周波数チャネル推定用パイロット信号フィールドの一例について図２４を参照して説明する。図２４は、図１５に示すように、２つの信号系列として信号系列Ｇと信号系列Ｈを用意し、周波数の低い有効周波数チャネルから順に信号系列Ｇと信号系列Ｈを繰り返し割当てる場合の信号系列Ｇ ２３１７と信号系列Ｈ ２３１８を示したものである。
【００６７】
信号系列Ｇ（２１７）と信号系列Ｈ（２１８）との相関値は、
１×（−１）＋（−１）×１＋１×（−１）＋（−１）×１＋１×（−１）＋（−１）×１＋１×（−１）＋（−１）×１＝０
となり、互いの相関値が０となる２つの信号系列が隣り合うように有効周波数チャネル推定用パイロット信号系列を割当てている。
【００６８】
以上の第４の実施形態によれば、第１の実施形態での効果に加え、有効周波数チャネル推定用パイロット信号系列として、互いの相関がゼロとなるような信号系列を用いることにより、それぞれの周波数チャネルにおいて計算する信号系列毎の相関値の差を大きくすることができ、有効周波数チャネルの検出精度を向上させることができる。
【００６９】
（第５の実施形態）  
本実施形態は、第４の実施形態での信号系列のシンボル時間に関する。
【００７０】
本実施形態の無線通信装置Ａ １０５が複数の周波数チャネルを用いて送信を行うフレームの有効周波数チャネル推定用パイロット信号フィールドの第１の例について図２５を参照して説明する。図２５は、図２４の有効周波数チャネル推定用パイロット信号フィールドに加えて、無線システムＢ １０２において送信される信号を追加している。したがって、重複する部分の説明は省略する。
【００７１】
図２５において、Ｓ３＿１ ２５３１、Ｓ３＿２ ２５３２、Ｓ３＿３ ２５３３、Ｓ３＿４ ２５３４のぞれぞれは、周波数チャネルＢ３において送信される無線システムＢ １０２の１つのシンボルを示しており、Ｓ７＿１ ２５３５、Ｓ７＿２ ２５３６、Ｓ７＿３ ２５３７、Ｓ７＿４ ２５３８のぞれぞれは、周波数チャネルＢ７において送信される無線システムＢ １０２の１つのシンボルを示している。また、時間Ｔ０ ２５３９は、有効周波数チャネル推定用パイロット信号の１シンボル時間を示しており、時間Ｔ１ ２５４０は、無線装置１０６が送信する信号の１シンボル時間を示している。
【００７２】
図２５に示す例では、有効周波数チャネル推定用パイロット信号の１シンボル時間Ｔ０ ２５３９は、無線装置１０６が送信する信号の１シンボル時間Ｔ１ ２５４０の２分の１に設定されているため、無線装置１０６が送信する信号は時間Ｔ１ ２５４０において一定であるのに対し、有効周波数チャネル推定用パイロット信号は時間Ｔ１ ２５４０において２つの値に変化するため、有効周波数チャネル推定用パイロット信号と無線装置１０６が送信する信号の相関を低く抑えることができる。
【００７３】
なお、上記では、有効周波数チャネル推定用パイロット信号の１シンボル時間Ｔ０ ２５３９が、無線装置１０６が送信する信号は時間Ｔ１ ２５４０の２分の１となる例を示したが、有効周波数チャネル推定用パイロット信号の１シンボル時間Ｔ０ ２５３９は、無線装置１０６が送信する信号は時間Ｔ１ ２５４０の３分の１、４分の１等であってもよい。
【００７４】
図２５に示す例では、無線通信システムＡ １０１の１つの周波数チャネルの帯域幅と、無線システムＢ １０２の１つの周波数チャネルの帯域幅の関係は、図１７に示すように、無線通信システムＡ １０１で用いる１つの周波数チャネルの帯域幅が無線システムＢ １０２の１つの周波数チャネルの帯域幅の倍数となる。
【００７５】
次に、本実施形態の無線通信装置Ａ １０５が複数の周波数チャネルを用いて送信を行うフレームの有効周波数チャネル推定用パイロット信号フィールドの第２の例について図２６を参照して説明する。図２６は、図２４の有効周波数チャネル推定用パイロット信号フィールドに加えて、無線システムＢ １０２において送信される信号を追加している。したがって、重複する部分の説明は省略する。
【００７６】
図２６において、Ｓ３＿１ ２６５１、Ｓ３＿２ ２６５２、Ｓ３＿３ ２６５３、Ｓ３＿４ ２６５４、Ｓ３＿５ ２６５５、Ｓ３＿６ ２６５６、Ｓ３＿７ ２６５７）、Ｓ３＿８ ２６５８のぞれぞれは、周波数チャネルＢ３において送信される無線システムＢ １０２の１つのシンボルを示しており、Ｓ７＿１ ２６５９、Ｓ７＿２ ２６６０、Ｓ７＿３ ２６６１、Ｓ７＿４ ２６６２、Ｓ７＿５ ２６６３、Ｓ７＿６ ２６６４、Ｓ７＿７ ２６６５、Ｓ７＿８ ２６６６のぞれぞれは、周波数チャネルＢ７において送信される無線システムＢ １０２の１つのシンボルを示している。また、時間Ｔ０ ２６６７は、有効周波数チャネル推定用パイロット信号の１シンボル時間を示しており、時間Ｔ１ ２６６８は、無線装置１０６が送信する信号の１シンボル時間を示している。
【００７７】
図２６に示す例では、有効周波数チャネル推定用パイロット信号の１シンボル時間Ｔ０ ２６６７は、無線装置１０６が送信する信号の１シンボル時間Ｔ１ ２６６８の２倍に設定されているため、無線装置１０６が送信する信号は時間Ｔ０ ２６６７において２つの値に変化するのに対し、有効周波数チャネル推定用パイロット信号は時間Ｔ０ ２６６７において一定であるため、有効周波数チャネル推定用パイロット信号と無線装置１０６が送信する信号の相関を低く抑えることができる。
【００７８】
なお、上記では、有効周波数チャネル推定用パイロット信号の１シンボル時間Ｔ０ ２６６７が、無線装置１０６が送信する信号は時間Ｔ１ ２６６８の２倍となる例を示したが、有効周波数チャネル推定用パイロット信号の１シンボル時間Ｔ０ ２６６７は、無線装置１０６が送信する信号は時間Ｔ１ ２６６８の３倍、４倍等であってもよい。
【００７９】
図２６に示す例では、無線通信システムＡ １０１の１つの周波数チャネルの帯域幅と、無線システムＢ １０２の１つの周波数チャネルの帯域幅の関係は、図１８に示すように、無線通信システムＡ １０１で用いる１つの周波数チャネルの帯域幅が無線システムＢ １０２の１つの周波数チャネルの帯域幅の分数となる。
【００８０】
一般的には、有効周波数チャネル推定用パイロット信号の値が一定である時間が、他の無線システムのシンボル時間と異なっていればよい。
【００８１】
以上の第５の実施形態によれば、第１の実施形態での効果に加え、有効周波数チャネル推定用パイロット信号のシンボル時間を、無線装置１０６が送信する信号の１シンボル時間とことなる時間とすることにより、これらの２つの信号間の相関が低くなり、有効周波数チャネルの検出精度を向上させることができる。
【００８２】
（第６の実施形態）  
本実施形態では、ＯＦＤＭ通信の場合の無線通信装置の構成と動作について説明する。
【００８３】
本実施形態の無線通信装置の無線通信システムＡにおいて送信されるフレームフォーマットの一例について図２７を参照して説明する。  
図２７のフレームフォーマットは、図３に示すフレームフォーマットの有効周波数チャネル推定用パイロット信号フィールド３３４を、有効サブキャリア推定用パイロット信号２７８４から構成される有効サブキャリア推定用パイロット信号フィールド２７８５に置き換え、図３のフレームフォーマットに伝送路推定用パイロット信号フィールド２７８３を追加したものである。
【００８４】
次に、本実施形態の無線通信装置Ａ １０５について図２８を参照して説明する。  
図２８の無線通信装置Ａ １０５は、アンテナ１０９１、アンテナ切替部１０９２、無線送信部１０９３、無線受信部１０９４、送信部２８９１、制御部２８９２、および、受信部２８９３を含む。送信部２８９１は、有効周波数チャネル検出用パイロット信号配置部２８９４、変調部２８９５、逆フーリエ変換部２８９６、および、ガードタイム付加部２８０８を含む。制御部２８９２は、キャリア検出部２８９７、および、有効サブキャリア選択部２８９８を含む。受信部２８９３は、フレーム検出部２８９９、自動利得制御部２８００、タイミング同期部２８０１、ガードタイム除去部２８０９、フーリエ変換部２８０２、伝送路補正部２８０３、相関演算部２８０４、有効サブキャリア候補決定部２８０５、有効サブキャリア決定部２８０６、および、復調部２８０７を含む。
【００８５】
キャリア検出部２８９７は、アンテナ１０９１、アンテナ切替部１０９２、無線受信部１０９４を介して入力される信号に対して、予め決められた帯域幅のキャリアセンスを行う。  
有効サブキャリア選択部２８９８は、キャリア検出部２８９７から入力されたキャリアセンスの結果を基に、未使用の周波数チャネルがあるか否かを判定し、未使用の周波数チャネルがある場合には、フレームを送信するサブキャリアを選択する。  
有効周波数チャネル検出用パイロット信号配置部２８９４は、有効サブキャリア推定用パイロット信号フィールド２７８５に、予め決められた割り当てパターンにしたがって、複数種類のパイロット信号を有効サブキャリア推定用パイロット信号２７８４として配置する。
【００８６】
フレーム検出部２８９９は、アンテナ１０９１、アンテナ切替部１０９２、無線受信部１０９４を介して入力される信号のフレーム検出処理を行い、フレームを検出したか否かを判定する。  
自動利得制御部２８００は、フレームを検出した場合には、入力される信号の自動利得制御を行い、信号を適正な振幅値に調整する。  
タイミング同期部２８０１は、タイミング同期を行う。タイミング同期部２８０１は、例えば、予め既知の信号系列と受信信号との相関演算を行い、相関値のピークを検出することにより受信フレームにタイミングを合わせる。
【００８７】
相関演算部２８０４は、伝送路補正処理が行われた信号の有効サブキャリア推定用パイロット信号フィールドの信号は、予め決められた有効サブキャリア推定用パイロット信号と相関演算が行われ、相関値としきい値の比較を行う。  
有効サブキャリア候補決定部２８０５は、しきい値比較を基に、有効サブキャリア候補を決定する。  
有効サブキャリア決定部２８０６は、予め決められたパイロット信号の割り当てパターンと有効サブキャリア候補として選択されたパイロット信号の割り当てパターンの検査を行い、割り当てパターンが一致しない場合には有効サブキャリア候補の補正を行い、最終的な有効サブキャリアを決定する。  
この他の装置部分は、当業者にはよく知られたものなので説明を省略する。
【００８８】
次に、図２８の無線通信装置が信号を送信する処理の一例について図２９を参照して説明する。  
図２８のキャリア検出部２８９７は、アンテナ１０９１、アンテナ切替部１０９２、無線受信部１０９４を介して入力される信号に対して、予め決められた帯域幅のキャリアセンスを行い、有効サブキャリア選択部２８９８に出力する（ステップＳ５０１）。有効サブキャリア選択部２８９８は、キャリア検出部２８９７から入力されたキャリアセンスの結果を基に、未使用の周波数チャネルがあるか否かを判定する（ステップＳ５０２）。未使用の周波数チャネルがある場合には、フレームを送信するサブキャリアを選択し、選択したサブキャリアを送信部２８９１へ出力する（ステップＳ２９０１）。未使用の周波数チャネルがない場合にはステップＳ５０１の処理を繰り返す。
【００８９】
送信部２８９１内の有効周波数チャネル検出用パイロット信号配置部２８９４は、図２７に示すフレームの有効サブキャリア推定用パイロット信号フィールド２７８５に、予め決められた割り当てパターンにしたがって、複数種類のパイロット信号を有効サブキャリア推定用パイロット信号２７８４として配置する（ステップＳ２９０２）。有効サブキャリア推定用パイロット信号とともに、ＡＧＣ用パイロット信号３３２、時間同期用パイロット信号３３３、および、伝送路推定用パイロット信号２７８３が設定された図２７のフレームは、変調部２８９５で変調された（ステップＳ２９０３）データ３３５とともに、逆フーリエ変換部２８９６で逆フーリエ変換が行われる（ステップＳ２９０４）。フーリエ変換されたフレームは、ガードタイム付加部２８０８でガードタイムが付加され（ステップＳ２９０５）、無線送信部１０９３、アンテナ切替部１０９２、アンテナ１０９１を介して送信される（ステップＳ５０５）。
【００９０】
次に、図２８の無線通信装置が信号を受信する処理の一例について図３０を参照して説明する。  
図２８のフレーム検出部２８９９は、アンテナ１０９１、アンテナ切替部１０９２、無線受信部１０９４を介して入力される信号のフレーム検出処理を行い（ステップＳ６０１）、フレームを検出したか否かを判定する（ステップＳ６０２）。フレームを検出した場合には、自動利得制御部２８００が入力される信号の自動利得制御を行い（ステップＳ６０３）、自動利得制御により適正な振幅値に調整された信号はタイミング同期部２８０１においてタイミング同期が行われる（ステップＳ６０４）。一方、ステップＳ６０２においてフレームが検出されない場合は、フレーム検出処理（ステップＳ６０１）以降の処理を繰り返す。タイミング同期処理は、例えば、予め既知の信号系列と受信信号との相関演算を行い、相関値のピークを検出することにより受信フレームにタイミングを合わせる処理である。
【００９１】
タイミング同期が確立された信号は、ガードタイム除去部２８０９においてガードタイムが除去され（ステップＳ３００１）、ガードタイムが除去された信号はフーリエ変換部２８０２でフーリエ変換が行われる（ステップＳ３００２）。フーリエ変換された信号は、伝送路補正部２８０３において伝送路補正処理が行われ（ステップＳ３００３）、伝送路補正処理が行われた信号の有効サブキャリア推定用パイロット信号フィールドの信号は、相関演算部２８０４において、予め決められた有効サブキャリア推定用パイロット信号と相関演算が行われ、相関値としきい値の比較を行う（ステップＳ３００４）。ステップＳ３００４のしきい値比較を基に、有効サブキャリア候補決定部２８０５において有効サブキャリア候補が決定され（ステップＳ３００５）、有効サブキャリア決定部２８０６において、予め決められたパイロット信号の割り当てパターンと有効サブキャリア候補として選択されたパイロット信号の割り当てパターンの検査が行われ、割り当てパターンが一致しない場合には有効サブキャリア候補の補正を行い、最終的な有効サブキャリアを決定する（ステップＳ３００６）。有効サブキャリアとして決定されたサブキャリアは、復調部２８０７で復調処理が行われる（ステップＳ３００７）。
【００９２】
次に、有効サブキャリア推定用パイロット信号として２種類のパイロット信号系列が有効サブキャリアに交互に割当てられている場合の、図２８に示す相関演算部２８０４、有効サブキャリア候補決定部２８０５、および、有効サブキャリア決定部２８０６が、有効サブキャリアを決定する処理の一例について図３１を参照して説明する。  
図２８の相関演算部２８０４は、サブキャリア毎に、受信したサブキャリア信号とパイロット信号Ａとの相関演算を行い（ステップＳ２１７１）、続いて、受信したサブキャリア信号とパイロット信号Ｂとの相関演算を行う（ステップＳ２１７２）。受信サブキャリア信号とパイロット信号Ａとの相関値をＣＡ、受信サブキャリア信号とパイロット信号Ｂとの相関値をＣＢとし、ＣＡとＣＢの比較を行う（ステップＳ２１７３）。ＣＡがＣＢよりも大きい場合は、このサブキャリアにおける相関値としてＣＡを選択し（ステップＳ２１７４）、有効サブキャリア候補決定部２８０５が、選択したパイロット信号Ａの識別子（ＰＡ）を記憶する（ステップＳ２１７５）。一方、ステップＳ２１７３において、ＣＢがＣＡより大きい場合は、このサブキャリアにおける相関値としてＣＢを選択し（ステップＳ２１７６）、有効サブキャリア候補決定部２８０５が、選択したパイロット信号Ｂの識別子（ＰＢ）を記憶する（ステップＳ２１７７）。ＣＡとＣＢが等しい場合には、任意のパイロット信号を選択する（ステップＳ２１７３）。
【００９３】
ステップＳ２１７１からステップＳ２１７７までの処理を、無線通信システムＡにおいてフレームの送信を行う予め決められた全てのサブキャリアにおいて繰り返す（ステップＳ３１５１）。続いて、それぞれのサブキャリアにおける相関値を記憶し（ステップＳ２１７９）、予め決められたしきい値とそれぞれのサブキャリア毎の相関値を比較し（ステップＳ２１８０）、しきい値を超える相関値を持つサブキャリアを有効サブキャリア候補として選択する（ステップＳ３１５２）。有効サブキャリア候補となったサブキャリアは、周波数の低い順に並べ替えられ、それぞれのサブキャリアで選択されたパイロット信号の識別子から構成されるパターンと予め決められた識別子のパターンを比較する（ステップＳ２１８２、Ｓ２１８３）。有効サブキャリア候補のパイロット信号の識別子のパターンと予め決められた識別子のパターンとが一致する場合には、有効サブキャリア候補を有効サブキャリアとして決定し、このサブキャリアの信号の復調処理を行う（ステップＳ３１５３）。一方、ステップＳ２１８３において、有効サブキャリア候補のパイロット信号の識別子のパターンと予め決められた識別子のパターンが一致しない場合には、有効サブキャリア候補の補正処理を行い（ステップＳ３１５４）、ステップＳ２１８２以降の処理を繰り返す。
【００９４】
次に、図２８に示す有効サブキャリア決定部２８０６が、有効サブキャリアを決定する処理の一例について図３２を参照して説明する。ここでは、有効サブキャリア推定用パイロット信号として用いられる信号系列が、図１５に示すように信号系列Ａと信号系列Ｂが交互に繰り返されている場合について説明する。  
有効サブキャリア候補として選択された複数のサブキャリアのうちで、最小の有効サブキャリア候補ｍにおいて選択されたパイロット信号系列が信号系列Ａであるか、信号系列Ｂであるかを判定する（ステップＳ３２０１）。最小の有効サブキャリア候補ｍにおいて選択された信号系列がＢ（識別子ＰＢ）である場合は、予め決められたサブキャリアの中でｍより小さいサブキャリアにおいてＰＡを選択したサブキャリアが存在するか否かを判定する（ステップＳ３２０２）。ｍより小さいサブキャリアの中に信号系列Ａ（識別子ＰＡ）を選択したサブキャリアｎが存在しない場合には、サブキャリアｍを有効サブキャリア候補から削除する（ステップＳ３２０３）。一方、ステップＳ３２０２において、ｍより小さいサブキャリアの中に信号系列Ａ（識別子ＰＡ）を選択したサブキャリアｎが存在する場合には、それらのサブキャリアの中で最大の相関値を持つサブキャリアを有効サブキャリア候補に加える（ステップＳ３２０４）。
【００９５】
続いて、有効サブキャリア候補において選択されたパイロット信号のパターンが、予め決められたパイロット信号系列のパターンである、信号系列Ａ、信号系列Ｂ、信号系列Ａ、・・・の繰り返しとなっているか否かを判定する（ステップＳ３２０５）。予め決められたパターンと一致する場合は、有効サブキャリア候補を有効サブキャリアとして決定し（ステップＳ３２０６）、予め決められたパターンと一致しない場合はステップＳ３２０１以降の処理を繰り返す。一方、ステップＳ３２０１において、最小の有効サブキャリア候補ｍにおいて選択された信号系列がＡ（識別子ＰＡ）である場合は、有効サブキャリア候補の中で同一のパイロット信号系列（識別子ＰＸ）が周波数チャネルｊとｋ（ｊ＜ｋ）で連続して選択されたか否かを判定する（ステップＳ３２０７）。これは、例えば、有効サブキャリアの番号が・・・、４番、５番、・・・と選択され、４番と５番のサブキャリアともにパイロット信号ＰＡを選択している、という状態である。ステップＳ３２０７において、有効サブキャリア候補の中で同一のパイロット信号系列を選択した２つのサブキャリアが隣接していない場合には、ステップＳ３２０５以降の処理を行う。
【００９６】
一方、有効サブキャリア候補の中で同一のパイロット信号系列を選択した２つのサブキャリアが隣接している場合には、サブキャリア番号の差を判定する（ステップＳ３２０８）。同一のパイロット信号系列を選択した２つのサブキャリアの番号の差が“１”の場合には、サブキャリアｊとサブキャリアｋのうちで相関値の低いサブキャリアを有効サブキャリア候補から削除し（ステップＳ３２０９）、ステップＳ３２０５以降の処理を行う。同一のパイロット信号系列を選択した２つのサブキャリアの番号の差が“２”以上の場合には、サブキャリアｊとサブキャリアｋの間に、ＰＸではないパイロット信号を選択したサブキャリアがあるか否かを判定する（ステップＳ３２１０）。サブキャリアｊとサブキャリアｋの間に、ＰＸではないパイロット信号を選択したサブキャリアがない場合には、サブキャリアｊとサブキャリアｋのうちで相関値の低いサブキャリアを有効サブキャリア候補から削除し（ステップＳ３２１１）、ステップＳ３２０５以降の処理を行う。一方、サブキャリアｊとサブキャリアｋの間に、ＰＸではないパイロット信号を選択したサブキャリアがある場合には、それらの中で最大の相関値を持つサブキャリアｉを有効サブキャリア候補に加え（ステップＳ３２１２）、ステップＳ３２０５以降の処理を行い、有効サブキャリア候補のパイロットパターンが予め決められたパターンと一致するまで処理を繰り返す。
【００９７】
以上の第６の実施形態によれば、第１の実施形態での効果に加え、無線通信システムＡ １０１で送信されるＯＦＤＭ信号フレームの一部に、無線通信システムＡの送信無線通信装置がキャリアセンスの結果に基づいて選択したサブキャリアであることを識別するための予め決められたパイロット信号系列を配置するフィールドを備えることにより、無線通信システムＡに属する受信側の無線通信装置が、フレームが送信されるサブキャリアが未知である場合であっても、このパイロット信号を検出することによりフレームが送信されたサブキャリアを検出することができ、データを復調することによって無線通信を行うことができる。
【００９８】
また、フレームが送信されるサブキャリアを検出するためのパイロット信号として、複数種類のパイロット信号系列を予め決められた割り当てパターンにしたがってそれぞれの有効サブキャリアに割当てることにより、有効サブキャリアの検出精度が上がり、通信性能を向上させることができる。
【００９９】
さらに、図３２に示した処理フローを行うことにより、有効サブキャリアの検出精度を高めることができ、効率のよい無線通信を行うことができる。
【０１００】
（第７の実施形態）  
本実施形態は、第６の実施形態の変形であり、キャリア検出部と相関演算部とが接続していることだけ第６の実施形態と異なる。
【０１０１】
本実施形態の無線通信装置Ａ １０５について図３３を参照して説明する。  
本実施形態の無線通信装置は、第６の実施形態の無線通信装置でキャリア検出部と相関演算部とを制御線により接続していて、この他は、第６の実施形態の無線通信装置と同様である。相関演算部３３０１とキャリア検出部３３０２の詳細については後に図３５、図３６を参照して説明する。
【０１０２】
次に、無線通信システムＡ １０１に属する２台の無線通信装置Ａ１と無線通信装置Ａ２とが行うフレーム送受信のタイミングについて図３４を参照して説明する。
【０１０３】
図３４に示すように、２台の無線通信装置Ａ１と無線通信装置Ａ２とが行うフレームの送受信は、スロット３４０１、３４０２、３４０３、３４０４を基準に行われるものとする。また、１つのスロット内は、無線システムＢ １０２の信号を検出するためのキャリアセンス期間３４０５、３４０７、３４０９、３４１１、３４１３、３４１５、３４１７、３４１９とフレームの送受信期間３４０６、３４０８、３４１０、３４１２、３４１４、３４１６、３４１８、３４２０に予め決められた割合で分割されているものとする。図３４に示す例では、スロット３４０１とスロット３４０３は無線通信装置Ａ１に送信権が割当てられ、スロット３４０２とスロット３４０４は無線通信装置Ａ２に送信権が割当てられている。
【０１０４】
これらの送信権は、図示はしていないが、ビーコン等に含まれるスケジュール情報に記載されている。図３４に示すように、例えば、無線通信装置Ａ２に対して受信スロットが割当てられているスロット０ ３４０１において、無線通信装置Ａ２はキャリアセンスを行い３４０７、スロット０ ３４０１のキャリアセンス期間３４０７においてキャリアが検出された周波数チャネルに相当するサブキャリアを、有効サブキャリア候補から除外する。通常、キャリアセンスは送信権が割当てられた無線通信装置が行い、キャリアが検出されない周波数チャネルに相当するサブキャリアを用いてフレームの送信を行うが、このキャリアセンス期間に受信側の無線通信装置がキャリアセンスを行うことにより、キャリアを検出した周波数チャネルに相当するサブキャリアを有効サブキャリア候補から除外することができる。
【０１０５】
次に、図３３の無線通信装置が信号を受信する処理の一例について図３５を参照して説明する。図３５は、図３０のフローチャートを変形したものである。なお、本実施形態の無線通信装置Ａ １０５は、図３４に示す無線通信装置Ａ２であるとして説明する。  
図３３のキャリア検出部３３０２は、受信スロット（図３４のｓｌｏｔ０、ｓｌｏｔ２）のキャリア検出期間３４０７、３４１５において、各サブキャリアの受信電力測定を行う（ステップＳ３５０１）。各サブキャリアの受信電力と予め決められたしきい値との比較を行い（ステップＳ３５０２）、受信電力がしきい値を超える場合にはこの周波数チャネルはＢｕｓｙであると判定する（ステップＳ３５０３）。一方、受信電力がしきい値以下の場合にはこのサブキャリアはＩｄｌｅであると判定する（ステップＳ３５０４）。各サブキャリアのキャリアセンス結果とキャリア検出期間の受信電力を相関演算部３３０１に出力し、相関演算部３３０１はキャリア検出部３３０２から入力されたキャリアセンス結果とキャリア検出期間の受信電力を、図示はしていないが内部に保持する記憶手段に記憶する（ステップＳ３５０５）。以降は、図３０のステップＳ６０１以下の処理を実行する。
【０１０６】
次に、有効サブキャリア推定用パイロット信号として２種類のパイロット信号系列が有効サブキャリアに交互に割当てられている場合の、図３３に示す無線通信装置Ａ １０５が有効サブキャリアを決定する処理について図３６を参照して説明する。図３６は、図３１のフローチャートを変形したものである。  
図３３の相関演算部３３０１は、サブキャリア毎に、キャリア検出期間のキャリアセンス結果がＩｄｌｅであるかＢｕｓｙであるかを判定する（ステップＳ３６０１）。キャリア検出期間のキャリアセンス結果がＢｕｓｙである場合には、このサブキャリアは非有効サブキャリアであると判定する（ステップＳ３６０２）。一方、キャリア検出期間のキャリアセンス結果がＩｄｌｅである場合には、図３１に示すステップＳ２１７１以降の処理を繰り返す。
【０１０７】
次に、図３３に示す有効サブキャリア決定部２８０６が、有効サブキャリアを補正する処理の一例について図３７を参照して説明する。図３７は図３２のフローチャートを変形したものである。  
有効サブキャリア候補として選択された複数のサブキャリアのうちで、最小の有効サブキャリア候補ｍにおいて選択されたパイロット信号系列が信号系列Ａであるか、信号系列Ｂであるかを判定する（ステップＳ３２０１）。最小の有効サブキャリア候補ｍにおいて選択された信号系列がＢ（識別子ＰＢ）である場合は、予め決められたサブキャリアの中でｍより小さいサブキャリアにおいてＰＡを選択したサブキャリアが存在するか否かを判定する（ステップＳ３２０２）。ｍより小さいサブキャリアの中に信号系列Ａ（識別子ＰＡ）を選択したサブキャリアｎが存在しない場合には、サブキャリアｍを有効サブキャリア候補から削除する（ステップＳ３２０３）。一方、ステップＳ３２０２において、ｍより小さいサブキャリアの中に信号系列Ａ（識別子ＰＡ）を選択したサブキャリアｎが存在する場合には、それらのサブキャリアの中で相関値と、キャリア検出期間の受信電力の逆数の積が最大となるサブキャリアを有効サブキャリア候補に加える（ステップＳ３７０１）。
【０１０８】
続いて、有効サブキャリア候補において選択されたパイロット信号のパターンが、予め決められたパイロット信号系列のパターンである、信号系列Ａ、信号系列Ｂ、信号系列Ａ、・・・の繰り返しとなっているか否かを判定する（ステップＳ３２０５）。予め決められたパターンと一致する場合は、有効サブキャリア候補を有効サブキャリアとして決定し（ステップＳ３２０６）、予め決められたパターンと一致しない場合はステップＳ３２０１以降の処理を繰り返す。一方、ステップＳ３２０１において、最小の有効サブキャリア候補ｍにおいて選択された信号系列がＡ（識別子ＰＡ）である場合は、有効サブキャリア候補の中で同一のパイロット信号系列（識別子ＰＸ）が周波数チャネルｊとｋ（ｊ＜ｋ）で連続して選択されたか否かを判定する（ステップＳ３２０７）。これは、例えば、有効サブキャリアの番号が・・・、４番、５番、・・・と選択され、４番と５番のサブキャリアともにパイロット信号ＰＡを選択している、という状態である。ステップＳ３２０７において、有効サブキャリア候補の中で同一のパイロット信号系列を選択した２つのサブキャリアが隣接していない場合には、ステップＳ３２０５以降の処理を行う。
【０１０９】
一方、有効サブキャリア候補の中で同一のパイロット信号系列を選択した２つのサブキャリアが隣接している場合には、サブキャリア番号の差を判定する（ステップＳ３２０８）。同一のパイロット信号系列を選択した２つのサブキャリアの番号の差が“１”の場合には、サブキャリアｊとサブキャリアｋのうちで相関値とキャリア検出期間受信電力の逆数の積が小さい方のサブキャリアを有効サブキャリア候補から削除し（ステップＳ３７０２）、ステップＳ３２０５以降の処理を行う。同一のパイロット信号系列を選択した２つのサブキャリアの番号の差が“２”以上の場合には、サブキャリアｊとサブキャリアｋの間に、ＰＸではないパイロット信号を選択したサブキャリアがあるか否かを判定する（ステップＳ３２１０）。サブキャリアｊとサブキャリアｋの間に、ＰＸではないパイロット信号を選択したサブキャリアがない場合には、サブキャリアｊとサブキャリアｋのうちで相関値とキャリア検出期間受信電力の逆数の積が小さい方のサブキャリアを有効サブキャリア候補から削除し（ステップＳ３７０３）、ステップＳ３２０５以降の処理を行う。
【０１１０】
一方、サブキャリアｊとサブキャリアｋの間に、ＰＸではないパイロット信号を選択したサブキャリアがある場合には、それらの中で、相関値と、キャリア検出期間の受信電力の逆数の積が最大となるサブキャリアｉを有効サブキャリア候補に加え（ステップＳ３７０３）、ステップＳ３２０５以降の処理を行い、有効サブキャリア候補のパイロットパターンが予め決められたパターンと一致するまで処理を繰り返す。
【０１１１】
また、有効サブキャリアの判定にあたり、無線通信システムＡのネットワーク半径が予め決められたしきい値よりも小さい場合には図３５、図３６、図３２の処理の組み合わせを選択し、無線通信システムＡのネットワーク半径が予め決められたしきい値以上の場合には図３５、図３１、図３７の処理の組み合わせを選択してもよい。
【０１１２】
以上の第７の実施形態によれば、第１の実施形態での効果に加え、受信スロットにおいてキャリアセンス期間にキャリア検出を行うことにより、有効サブキャリアの検出精度を高めることができ、効率のよい無線通信を行うことができる。
【０１１３】
また、あるサブキャリアにおいてキャリア検出期間のキャリアセンス結果がＢｕｓｙである場合には、送信側においてもこのサブキャリアを有効サブキャリアとして選択しないと予測し、受信側においてこのサブキャリアを非有効サブキャリアと判定することにより、精度の高い有効サブキャリア判定を行うことができる。
【０１１４】
さらに、有効サブキャリア検出用パイロット信号との相関値と、キャリア検出期間の受信電力を組み合わせて有効サブキャリアの判定を行うことにより、精度の高い有効サブキャリア判定を行うことができる。
【０１１５】
以上に示した実施形態によれば、送信側の無線通信装置がフレームの伝送に選択した周波数チャネルおよびこのフレームを、受信側の無線通信装置が予め未知である場合にも、受信側の無線通信装置がこれを検出するための有効周波数チャネル検出用パイロット信号を送信フレーム内に配置することによって、受信側の無線通信装置がフレームの伝送に用いられる周波数チャネルおよびこのフレームを検出し復調することにより無線通信を行うことができる。
【０１１６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【０１１７】
【図１】実施形態の無線通信装置の無線通信システムＡと他の無線システムＢ、Ｃとの配置を示す図。
【図２】図１の無線システムＢ、Ｃに割れ当てられた周波数帯域内の複数の周波数チャネルを示す図。
【図３】第１の実施形態の無線通信装置の無線通信システムＡで使用されるフレームフォーマットの一例を示す図。
【図４】第１の実施形態の無線通信装置のブロック図。
【図５】図４の無線通信装置が信号を送信する処理の一例を示すフローチャート。
【図６】図４の無線通信装置が信号を受信する処理の一例を示すフローチャート。
【図７】図４の無線通信装置がフレームを受信した場合の相関値の一例を示す図。
【図８】図４の無線通信装置がフレームを受信した場合の相関値の一例を示す図。
【図９】第１の実施形態の無線通信装置の無線通信システムＡで使用されるフレームフォーマットの一例を示す図。
【図１０】第２の実施形態の無線通信装置のブロック図。
【図１１】図１０の無線通信装置が信号を送信する処理の一例を示すフローチャート。
【図１２】無線通信システムＡが周波数を共用している無線システムＢの周波数チャネルを示す図。
【図１３】図１０の無線通信装置の無線通信システムＡで使用されるフレームフォーマットの第１の例を示す図。
【図１４】図１０の無線通信装置の無線通信システムＡで使用されるフレームフォーマットの第２の例を示す図。
【図１５】図１０の無線通信装置の無線通信システムＡで使用されるフレームフォーマットの第３の例を示す図。
【図１６】第３の実施形態において、無線システムＢの周波数チャネルと、無線通信システムＡの周波数チャネル、あるいは、ＯＦＤＭ通信を行う場合のサブキャリアの帯域との第１の関係を示す図。
【図１７】第３の実施形態において、無線システムＢの周波数チャネルと、無線通信システムＡの周波数チャネル、あるいは、ＯＦＤＭ通信を行う場合のサブキャリアの帯域との第２の関係を示す図。
【図１８】第３の実施形態において、無線システムＢの周波数チャネルと、無線通信システムＡの周波数チャネル、あるいは、ＯＦＤＭ通信を行う場合のサブキャリアの帯域との第３の関係を示す図。
【図１９】第３の実施形態において、無線システムＢの周波数チャネルと、無線通信システムＡの周波数チャネル、あるいは、ＯＦＤＭ通信を行う場合のサブキャリアの帯域との第４の関係を示す図。
【図２０】第３の実施形態の無線通信装置に含まれる有効周波数チャネル決定部のブロック図。
【図２１】図２０の有効周波数チャネル決定部が有効周波数チャネルを決定する処理の一例を示すフローチャート。
【図２２】図２０の有効周波数チャネル補正部が有効周波数チャネルを補正する処理の一例を示すフローチャート。
【図２３】第４の実施形態における無線通信システムＡのフレームに含まれる有効周波数チャネル推定用パイロット信号フィールドの第１の例を示す図。
【図２４】第４の実施形態における無線通信システムＡのフレームに含まれる有効周波数チャネル推定用パイロット信号フィールドの第２の例を示す図。
【図２５】第５の実施形態における無線通信システムＡのフレームに含まれる有効周波数チャネル推定用パイロット信号フィールドの第１の例を示す図。
【図２６】第５の実施形態における無線通信システムＡのフレームに含まれる有効周波数チャネル推定用パイロット信号フィールドの第２の例を示す図。
【図２７】第６の実施形態における無線通信システムＡのフレームフォーマットの一例を示す図。
【図２８】第６の実施形態の無線通信装置のブロック図。
【図２９】図２８の無線通信装置が信号を送信する処理の一例を示すフローチャート。
【図３０】図２８の無線通信装置が信号を受信する処理の一例を示すフローチャート。
【図３１】図２８の相関演算部、有効サブキャリア候補決定部、および有効サブキャリア決定部が有効サブキャリアを決定する処理の一例を示すフローチャート。
【図３２】図２８の有効サブキャリア決定部が有効サブキャリアを決定する処理の一例を示すフローチャート。
【図３３】第７の実施形態の無線通信装置のブロック図。
【図３４】図３３の無線通信装置どうしが通信を行う場合のフレーム送受信のタイミングを示す図。
【図３５】図３３の無線通信装置が信号を受信する処理の一例を示すフローチャート。
【図３６】図３３の無線通信装置が有効サブキャリアを決定する処理の一例を示すフローチャート。
【図３７】図３３の無線通信装置が有効サブキャリアを補正する処理の一例を示すフローチャート。
【符号の説明】
【０１１８】
１０１・・・無線通信システムＡ、１０２・・・無線システムＢ、１０３・・・無線システムＢ’、１０４・・・無線システムＣ、１０５・・・無線通信装置Ａ、１０６・・・無線装置Ｂ、２１２〜２２２・・・周波数チャネル、２１０，２１１・・・周波数帯域、３３１・・・フレーム、３３２・・・ＡＧＣ用のパイロット信号フィールド、３３３・・・時間同期用パイロット信号フィールド、３３４・・・有効周波数チャネル推定用パイロット信号フィールド、３３５・・・データフィールド、３３６・・・ＡＧＣ用パイロット信号、３３７・・・時間同期用パイロット信号、３３８・・・有効周波数チャネル推定用パイロット信号、４４１，２８９１・・・送信部、４４２，２８９２・・・制御部、４４３，２８９３・・・受信部、４４４，２８９４・・・有効周波数チャネル検出用パイロット信号配置部、４４５・・・フレーム送信部、４４６，２８９７，３３０２・・・キャリア検出部、４４７・・・周波数チャネル選択部、４４８，２８９９・・・フレーム検出部、４４９，２８００・・・自動利得制御部、４５０，２８０１・・・タイミング同期部、４５１・・・有効周波数チャネル決定部、４５２・・・フレーム受信部、６０３・・・相関値、７００・・・しきい値、７０１，８０２・・・相関値出力、８０１・・・無線通信システムＢの送信信号、９０１，９０２・・・シンボル、１０９１・・・アンテナ、１０９２・・・アンテナ切替部、１０９３・・・無線送信部、１０９４・・・無線受信部、１２１１・・・周波数帯域、１２１２〜１２２１・・・周波数チャネル、１３３３〜１３４０，２３１１〜２３１８・・・信号系列、１６５１〜１６６０，１７７１〜１７７５，１８０１〜１８９９，１９４０・・・周波数チャネルＡ、１８８４，１８８８，１９０２，１９０６・・・周波数チャネルＢの隣接周波数帯域、２０６１，２８０４，３３０１・・・相関演算部、２０６２・・・相関値選択部、２０６３・・・相関値記憶部、２０６４・・・しきい値比較部、２０６５・・・有効周波数チャネル検査部、２０６６・・・有効周波数チャネル補正部、２５３１〜２５３８，２６５１〜２６６６・・・無線システムＢの１つのシンボル、２７８３・・・伝送路推定用パイロット信号フィールド、２７８４・・・有効サブキャリア推定用パイロット信号、２７８５・・・有効サブキャリア推定用パイロット信号フィールド、２８０２・・・フーリエ変換部、２８０３・・・伝送路補正部、２８０５・・・有効サブキャリア候補決定部、２８０６・・・有効サブキャリア決定部、２８０７・・・復調部、２８０８・・・ガードタイム付加部、２８０９・・・ガードタイム除去部、２８９５・・・変調部、２８９６・・・逆フーリエ変換部、２８９８・・・有効サブキャリア選択部、３４０１〜３４０４・・・スロット、３４０６・・・送受信期間、３４０５，３４０７，３４０９，３４１１，３４１３，３４１５，３４１７，３４１９・・・キャリア検出期間、３４０６，３４０８，３４１０，３４１２，３４１４，３４１６，３４１８，３４２０・・・フレーム送受信期間。
【図１】
2008288878.tif 000003
【図２】
2008288878.tif 000004
【図３】
2008288878.tif 000005
【図４】
2008288878.tif 000006
【図５】
2008288878.tif 000007
【図６】
2008288878.tif 000008
【図７】
2008288878.tif 000009
【図８】
2008288878.tif 000010
【図９】
2008288878.tif 000011
【図１０】
2008288878.tif 000012
【図１１】
2008288878.tif 000013
【図１２】
2008288878.tif 000014
【図１３】
2008288878.tif 000015
【図１４】
2008288878.tif 000016
【図１５】
2008288878.tif 000017
【図１６】
2008288878.tif 000018
【図１７】
2008288878.tif 000019
【図１８】
2008288878.tif 000020
【図１９】
2008288878.tif 000021
【図２０】
2008288878.tif 000022
【図２１】
2008288878.tif 000023
【図２２】
2008288878.tif 000024
【図２３】
2008288878.tif 000025
【図２４】
2008288878.tif 000026
【図２５】
2008288878.tif 000027
【図２６】
2008288878.tif 000028
【図２７】
2008288878.tif 000029
【図２８】
2008288878.tif 000030
【図２９】
2008288878.tif 000031
【図３０】
2008288878.tif 000032
【図３１】
2008288878.tif 000033
【図３２】
2008288878.tif 000034
【図３３】
2008288878.tif 000035
【図３４】
2008288878.tif 000036
【図３５】
2008288878.tif 000037
【図３６】
2008288878.tif 000038
【図３７】
2008288878.tif 000039